(57)【要約】【課題】  コピー用紙を、新たな広告媒体として活用し、少額の費用で大きな広告効果が得られる広告システムを提供する。【解決手段】  広告データをコピー機に入力し、記憶する手段７，８と、コピー用の原稿を読取り、その原稿データを記憶する手段９，１０と、広告を掲載されている用紙と、掲載されていない用紙のいずれかを選択し入力する手段１１と、広告が掲載されている用紙が選択された場合は、広告データと原稿データの両者を、広告が掲載されていない用紙が選択された場合は、原稿データのみを、それぞれ呼び出し後記の転写原稿作成手段に送信する手段１２と、前記送信されたデータに基づいて、転写原稿を作成する手段１３と、前記転写原稿を転写する手段１４とを有する、コピー機を利用した広告システムとする。【選択図】        図１
2005123988.tif 000002
【特許請求の範囲】
【請求項１】
ａ）広告データをコピー機に入力する広告データ入力手段と、
ｂ）前記入力された広告データを記憶する広告データ記憶手段と、
ｃ）コピー用の原稿を読み取る原稿読取手段と、
ｄ）前記読み取った原稿データを記憶する原稿データ記憶手段と、
ｅ）広告が掲載されている用紙と、掲載されていない用紙のいずれを希望するかを入力する用紙選択手段と、
ｆ）(ｉ)  前記用紙選択手段により、広告が掲載されている用紙が選択された場合には、前記広告データ記憶手段と原稿データ記憶手段とから、それぞれ広告データ、原稿データを呼び出し、
(ii)  他方、広告が掲載されていない用紙が選択された場合には、前記原稿データ記憶手段から原稿データを呼び出し、
(iii)  前記(ｉ)または(ii)で呼び出した広告データ、原稿データを後記の転写原稿作成手段に送信するデータ送信手段と、
ｇ）前記データ送信手段によって送信されたデータに基づいて、転写原稿を作成する転写原稿作成手段と、
ｈ）前記作成された転写原稿を用紙に転写する原稿転写手段とを有することを特徴とするコピー機を利用した広告システム。
【請求項２】
前記広告データ入力手段を、広告事業者のホストコンピュータから通信ネットワークを利用して、広告主からの申込みを受けた広告に関する信号を、複数の店舗に設置されたコピー機に送信して、広告データの新規登録、変更、更新、削除などを行うものとしたことを特徴とする請求項１記載のコピー機を利用した広告システム。
【請求項３】
前記広告データのうち、同一の広告データを転写した部数を計測し、その部数が広告データ毎に予め定めた一定数に達した場合に、その広告データの転写を停止するようにしたことを特徴とする請求項１または２記載のコピー機を利用した広告システム。
【請求項４】
前記複数の各店舗に設置されたコピー機から共通の同一の広告データを転写した部数を、通信ネットワークを利用して、広告事業者のホストコンピュータに送信し、これらの合計部数が広告データ毎に予め定めた一定数に達した場合に、その広告データの転写を停止する指示信号を、各店舗のコピー機に送信するようにしたことを特徴とする請求項２または３記載のコピー機を利用した広告システム。
【請求項５】
前記広告データを、原稿データを転写する用紙の余白部に転写するようにしたことを特徴とする請求項１〜４のいずれかに記載のコピー機を利用した広告システム。
【請求項６】
前記用紙の余白部を、用紙の周辺部または裏面としたことを特徴とする請求項５記載のコピー機を利用した広告システム。
【請求項７】
前記広告データを転写する余白部の場所について、予め記憶されている広告データのうちから、コピーを行う顧客が選択した前記余白部の場所に適合する広告データを、コンピュータを利用し検索して選んで行うことを特徴とする請求項５または６記載のコピー機を利用した広告システム。
【請求項８】
前記広告データを、前記転写原稿を転写して得られた複写物を、再度の複写の原稿として用いた場合に、広告データ部分が複写されないインクを用いて転写するようにしたことを特徴とする請求項１〜７のいずれかに記載のコピー機を利用した広告システム。
【請求項９】
前記インクを、水色を基調とした淡い色の単色、または水色を基調とした濃淡の複数色としたことを特徴とする請求項８記載のコピー機を利用した広告システム。
【発明の詳細な説明】
【技術分野】
【０００１】
本発明は、新規な広告システムに関する。
【背景技術】
【０００２】
近年、複写機（以下、「コピー機」という）は、一般企業や官庁のみならず、コンビニエンスストアなどに広く設置され利用されている。
前記コピー機に使用される用紙の消費量は、各種用途に使用される用紙の全消費量のうちの大きな比重を占めるほど多量である。
しかし、前記コピー機に使用される用紙には、専ら、コピー用原稿の内容のみが複写されているのが現状である。
本願出願人の調査した限りにおいては、コピー用紙を、希望する内容を複写するという本来の目的に加えて、さらに積極的に活用しようとする技術について記載された公知文献は見出されない。
一方、テレビ、ラジオ、新聞等の広告媒体は、その効果は大きいものの、相当大きな費用を必要とし、単位費用に対する広告効果の観点からは、必ずしも常に最良のものとは言えない。
【発明の開示】
【発明が解決しようとする課題】
【０００３】
本発明は、前記の現状に鑑み、コピー用紙を、広告の新たな媒体として活用し、少額の費用で大きな広告効果が得られ、単位費用に対する広告効果の大きい広告システムを提供することを目的とする。
【課題を解決するための手段】
【０００４】
本発明によると、上記課題は、次のようにして解決される。
(１)  ａ）広告データをコピー機に入力する広告データ入力手段と、
ｂ）前記入力された広告データを記憶する広告データ記憶手段と、
ｃ）コピー用の原稿を読み取る原稿読取手段と、
ｄ）前記読み取った原稿データを記憶する原稿データ記憶手段と、
ｅ）広告が掲載されている用紙と、掲載されていない用紙のいずれを希望するかを入力する用紙選択手段と、
ｆ）(ｉ)  前記用紙選択手段により、広告が掲載されている用紙が選択された場合には、前記広告データ記憶手段と原稿データ記憶手段とから、それぞれ広告データ、原稿データを呼び出し、
(ii)  他方、広告が掲載されていない用紙が選択された場合には、前記原稿データ記憶手段から原稿データを呼び出し、
(iii)  前記(ｉ)または(ii)で呼び出した広告データ、原稿データを後記の転写原稿作成手段に送信するデータ送信手段と、
ｇ）前記データ送信手段によって送信されたデータに基づいて、転写原稿を作成する転写原稿作成手段と、
ｈ）前記作成された転写原稿を用紙に転写する原稿転写手段とを有するコピー機を利用した広告システムとする。
【０００５】
(２)  上記(１)項において、前記広告データ入力手段を、広告事業者のホストコンピュータから通信ネットワークを利用して、広告主からの申込みを受けた広告に関する信号を、複数の店舗に設置されたコピー機に送信して、広告データの新規登録、変更、更新、削除などを行うものとする。
【０００６】
(３)  上記(１)項または(２)項において、前記広告データのうち、同一の広告データを転写した部数を計測し、その部数が広告データ毎に予め定めた一定数に達した場合に、その広告データの転写を停止するようにする。
【０００７】
(４)  上記(２)項または(３)項において、前記複数の各店舗に設置されたコピー機から共通の同一の広告データを転写した部数を、通信ネットワークを利用して、広告事業者のホストコンピュータに送信し、これらの合計部数が広告データ毎に予め定めた一定数に達した場合に、その広告データの転写を停止する指示信号を、各店舗のコピー機に送信するようにする。
【０００８】
(５)  上記(１)項〜(４)項のいずれかにおいて、前記広告データを、原稿データを転写する用紙の余白部に転写するようにする。
【０００９】
(６)  上記(５)項において、前記用紙の余白部を、用紙の周辺部または裏面とする。
【００１０】
(７)  上記(５)項または(６)項において、前記広告データを転写する余白部の場所について、予め記憶されている広告データのうちから、コピーを行う顧客が選択した前記余白部の場所に適合する広告データを、コンピュータを利用し検索して選んで行う。
【００１１】
(８)  上記(１)項〜(７)項のいずれかにおいて、前記広告データを、前記転写原稿を転写して得られた複写物を、再度の複写の原稿として用いた場合に、広告データ部分が複写されないインクを用いて転写するようにする。
【００１２】
(９)  上記(８)項において、前記インクを、水色を基調とした淡い色の単色、または水色を基調とした濃淡の複数色とする。
【発明の効果】
【００１３】
本発明によると、次のような効果が奏せられる。
(ａ)  前記(１)項記載の発明によれば、用紙に、コピー用原稿の内容と同時に、その余白部に広告内容が、自動的に転写されるため、極めて少額の費用で広告が可能となる。
また、コピーをする顧客の意思に基づいて、広告を掲載する用紙が選択されるため、その広告が、当該顧客によって読まれる可能性が高く、かつ、コピーをする顧客は、不特定多数であるため、大きな広告効果が期待される。
そのため、単位費用に対する広告効果は、極めて大きいものが得られる。
また、特定の期間を限定して広告を行うことや、試験的に短期間の広告を行い、その広告効果をみて、広告期間を適宜変更することも容易にできる。
さらにまた、広告主との契約後、直ちに広告を行い得ることも他の広告媒体に対して本発明の大きな利点である。
【００１４】
(ｂ)  前記(２)記載の発明によれば、複数の店舗に設置されたコピー機を一括管理することができるとともに、広地域に亘って、かつ早期に広告効果を上げることができる。
【００１５】
(ｃ)  前記(３)項記載の発明によれば、広告主と広告事業者間で契約がなされた広告の部数を過不足なく転写することができるとともに、広告主の費用に応じて、転写部数を適宜決定することができるため、少額の費用でもって広告を行うことが可能となる。
【００１６】
(ｄ)  前記(４)項記載の発明によれば、複数の店舗に設置されたコピー機を一括管理することができるとともに、広地域に亘って、かつ早期に広告効果を上げることができる。
【００１７】
(ｅ)  前記(５)項記載の発明によれば、従来利用されていない用紙の余白部に転写するため、省資源となるとともに、広告費用を廉価にすることができる。
【００１８】
(ｆ)  前記(６)項記載の発明によれば、前記(ｅ)項に記載した効果と同一の効果が奏せられる。
【００１９】
(ｇ)  前記(７)項記載の発明によれば、広告主が希望する余白部の場所に広告を掲載したものを、効率的に作成することができる。
【００２０】
(ｈ)  前記(８)項記載の発明によれば、広告が掲載されている用紙を原稿として用い、必要に応じて、広告が掲載されていない複写物を作成することができる。
【００２１】
(ｉ)  前記(９)項記載の発明によれば、前記(ｈ)項に記載した効果を奏する複写物を容易に得ることができる。
【発明を実施するための最良の形態】
【００２２】
以下、本発明を図面に基づいて詳細に説明する。
【実施例】
【００２３】
図１は、本発明の概要を示すブロック図である。
広告事業者(１)は、広告主(２)からの申込みを受けた広告を電子化し、ホストコンピュータ(３)から通信ネットワーク(４)を利用して、広告に関する信号を、複数の店舗ｎ1……ｎpに設置されたコピー機Ｃ1……Ｃpに送信する。前記広告に関する信号としては、広告内容を電子化した広告データ以外に、その広告データの新規登録、変更、更新、削除等を指示する信号がある。これらの広告に関する各種信号は、各店舗ｎ1……ｎpのコピー機Ｃ1……Ｃp（以下、ｎm店舗のコピー機Ｃmを代表させて説明する）と一体となったコンピュータにおける広告信号受信手段(５)で受信され、広告信号記憶手段(６)内に保存される。
【００２４】
前記広告信号受信手段(５)内には、広告内容を電子化した広告データをコピー機内に入力する広告データ入力手段(７)があり、前記広告データは、前記広告信号記憶手段(６)内の広告データ記憶手段(８)内に保存される。
【００２５】
また、前記コピー機Ｃmには、従来のコピー機と同様に、コピーしようとする原稿を読み取る原稿読取手段(９)があり、読み取られて電子化された原稿データは原稿データ記憶手段(10)内に保存される。
【００２６】
さらに、前記コピー機Ｃmには、前記読み取った原稿を転写する用紙を選択する用紙選択手段(11)が設けられている。この用紙選択手段(11)は、従来のコピー機における用紙のサイズを選択するものではなく、原稿データを転写する用紙の余白部、すなわち用紙の周辺部や裏面などに、広告が掲載されている用紙であってもよいか否かを選択するものであり、コピー機の操作パネルに設けられたボタンにより、簡単に選択することができるようになっている。広告が掲載されている用紙は、広告主から広告料が支払われているため、廉価で提供することができる。
【００２７】
コピーを行う顧客が、広告が掲載されている用紙を選択した場合には、データ送信手段(12)により、前記広告データ記憶手段(８)と原稿データ記憶手段(10)とから、それぞれ広告データ、原稿データが呼び出され、これらのデータが転写原稿作成手段(13)に送信される。
【００２８】
転写原稿作成手段(13)においては、原稿データを用紙の中央に配置し、用紙の余白部、すなわち用紙の周辺部または裏面に、広告データを配置した転写原稿が作成される。広告データを、用紙の周辺部と裏面のうちのどちらに配置するかは、予め広告事業者(１)と広告主(２)との間になされた契約に基づいて決定される。一般には、用紙の周辺部の余白内に掲載しうる広告データについては、その部分に掲載し、広告データのサイズが大きく、あるいはその量が多いために、用紙の周辺部の余白内に掲載することが困難な場合には、用紙の裏面に掲載される。
【００２９】
用紙選択の自由度を大きくするため、コピーを行う顧客が、広告を掲載する場所を、用紙の周辺部と裏面のどちらを希望するかを選択できるように設計することが好ましい。用紙の周辺部についても、上下左右のいずれにするかを選択可能とすれば、さらに好ましい。
【００３０】
これらの場合、転写原稿作成手段(13)においては、予め広告事業者(１)と広告主(２)間になされた契約における広告の掲載場所のうちから、コピーを行う顧客が選択した条件に合致するものが、コンピュータによって選ばれるようにすればよい。図２は、顧客の選択に応じて、掲載する広告をいずれにするかをコンピュータによて決定するためのフローチャートである。
【００３１】
前記用紙選択手段(11)によって、「広告が掲載されている用紙(100)」を選択した場合、液晶ディスプレイの表示画面が変わり、「広告は、用紙の周辺部でよいか(101)」の表示画面となる。ここでＹＥＳを選択すると、広告は「４周辺部のいずれに転写してもよい(103)」旨の信号が、該当広告データ検索手段(104)に送信される。この該当広告データ検索手段(104)から、前記広告信号記憶手段(８)に信号が送信され、該当する広告データが検索されて、前記転写原稿作成手段(13)に送信される。したがって、転写原稿作成手段(13)において、顧客が指定した用紙の余白部分に広告データが組み込まれた転写原稿が作成される。
【００３２】
また、前記「４周辺部のいずれでもよいか(102)」の表示画面において、ＮＯを選択すると、「上下の周辺部のいずれでもよいか(105)」の表示画面となる。ここでＹＥＳを選択すると、広告は「上下の周辺部のいずれに転写してもよい(106)」旨の信号が、前記該当広告データ検索手段(104)に送信される。この該当広告データ検索手段(104)から、前記広告信号記憶手段(８)に信号が送信され、該当する広告データが検索されて、前記転写原稿作成手段(13)に送信される。
以下、同様にして、フローチャートに示す手順に従って処理される。
【００３３】
なお、前記広告データ検索手段(104)において、該当する広告データを検索するには、前記広告信号記憶手段(８)に広告に関する信号を記憶させる際に、広告データを掲載する用紙の余白の場所別に、予め符号を付して記憶させておくことにより、前記符号を利用して簡単に検索することができる。
【００３４】
一方、前記「広告は、用紙の周辺部でよいか(101)」の表示画面において、ＮＯを選択すると、「広告は、用紙の裏面でよいか(107)」の表示画面となる。ここでＹＥＳを選択すると、広告は「裏面に転写する(108)」旨の信号が、該当広告データ検索手段(104)に送信され、前記と同様に処理される。
【００３５】
また、前記「広告は、用紙の裏面でよいか(107)」の表示画面において、ＮＯを選択すると、「広告が掲載されている用紙でよいかの再確認(109)」の表示画面となる。
【００３６】
転写原稿作成手段(13)において作成された転写原稿は、原稿転写手段(14)により用紙に転写されて、コピー機Ｃmから複写物として取り出される。
【００３７】
また、広告データが用紙に転写された場合、広告データ転写部数計測手段(15)において同一の広告データの転写部数が計測され、その計測値は、広告データ転写部数送信手段(16)より、通信ネットワークを利用して、広告事業者(１)のホストコンピュータ(３)に送信される。前記ホストコンピュータ(３)では、複数の各店舗ｎ1，ｎ2……ｎpに設置されたコピー機Ｃ1，Ｃ2……Ｃpから送信された共通の同一の広告データについての転写部数の計測値が集計される。これらの合計部数が、広告事業者(１)と広告主(２)との間になされた契約における転写部数に達した場合には、前記ホストコンピュータ(３)から、前記各店舗ｎ1，ｎ2……ｎpに設置されたコピー機Ｃ1，Ｃ2……Ｃpに、その広告データの転写を停止するための指示信号が送信される。
【００３８】
前記指示信号は、通信ネットワーク(４)を利用して、広告信号受信手段(５)に送信され、広告信号記憶手段(６)、転写原稿作成手段(13)を経て、原稿転写手段(14)に送信され、当該広告データの転写が停止される。
【００３９】
前記停止とともに、転写原稿作成手段(13)において、当該転写条件に適合する次の広告データが選択され、その転写原稿が作成される。前記作成された転写原稿は、同様にして、原稿転写手段(14)によって転写される。
【００４０】
広告データの転写は、出来上がった複写物を、再度の複写の原稿として用いた場合に、広告データの部分が複写されないように、用いるインクを、水色を基調とした淡い色の単色、または、広告データによって単色では表示困難な場合は、水色を基調とした濃淡の複数色とすることが好ましい。
【００４１】
このように広告データの部分が、再度、複写されないようなインクを用いることにより、顧客は、広告が掲載された複写物を原稿として、必要に応じて、広告が掲載されない複写物を得ることもできる。
【００４２】
一方、顧客が広告を掲載されていない用紙を選択した場合には、データ送信手段(12)により、原稿データ記憶手段(10)から原稿データのみが呼び出され、転写原稿作成手段(13)に送信される。
【００４３】
前記転写原稿作成手段(13)においては、従来公知のコピー機と同様に、前記送信された原稿データに基づいて、転写原稿が作成され、原稿転写手段(14)によって用紙に転写されて、コピー機Ｃmから複写物として取り出される。
【００４４】
また、広告に関する信号は、通常は、広告事業者(１)のホストコンピュータ(３)から、契約をしている複数の店舗ｎ1，ｎ2……ｎpに設置されている全コピー機Ｃ1，Ｃ2……Ｃpに送信される。しかし、広告主(２)が、広告効果の観点から、特定地域に限定して広告を提供したい場合には、前記複数の店舗ｎ1，ｎ2……ｎpから、該当する地域に属する店舗を選択し、当該店舗に設置されているコピー機に対してのみ広告に関する信号を送信することもできる。
【産業上の利用可能性】
【００４５】
本発明は、コピー用紙を、広告の新たな媒体として活用し、少額の費用で大きな広告効果が得られるシステムであるため、たとえば中小企業や個人商店などが、予算に応じて手軽に利用することができる。
また、本発明の実施によって得られる広告収入の一部を、たとえば古紙回収の費用に充当することによって、古紙リサイクルの促進を図り、省資源に寄与することができる。
【図面の簡単な説明】
【００４６】
【図１】本発明のコピー機を利用した広告システムの概要を示すブロック図である。
【図２】顧客の選択に応じて、掲載する広告をいずれにするかをコンピュータによって決定するためのフローチャートである。
【符号の説明】
【００４７】
(１)広告事業者
(２)広告主
(３)ホストコンピュータ
(４)通信ネットワーク
(５)広告信号受信手段
(６)広告信号記憶手段
(７)広告データ入力手段
(８)広告データ記憶手段
(９)原稿読取手段
(10)原稿データ記憶手段
(11)用紙選択手段
(12)データ送信手段
(13)転写原稿作成手段
(14)原稿転写手段
(15)広告データ転写部数計測手段
(16)広告データ転写部数送信手段
【図１】
2005123988.tif 000003
【図２】
2005123988.tif 000004